(57)【要約】 【課題】  画像読取機能付の記録装置において、原稿中に表裏が逆転して整列された原稿が混在した場合、前記表裏逆転し整列された原稿に対し、所望する面と反対の面に記録してしまっていた。【解決手段】  片面に画像が記録された記録媒体の表裏を判別する表裏判別手段と、画像を記録する記録面を設定する設定手段と、表裏判別手段に従い、設定手段により設定した前記記録面に画像を記録する制御手段を有することを特徴とする記録装置。【選択図】  図９
2008035121.tif 000002
【特許請求の範囲】
【請求項１】
片面に第１の画像が記録されたシート状の記録媒体から前記第１の画像を読取る読取手段を有し、前記記録媒体にさらに第２の画像を付加的に記録することが可能な記録装置であって、
前記記録媒体を装置内に供給する供給手段と、
前記供給手段により供給された記録媒体を記録位置まで搬送する搬送手段と、
前記搬送手段による記録媒体の搬送路において、前記記録位置よりも上流側に設けられ、前記記録媒体の表面と裏面とを判別する表裏判別手段と、
前記第２の画像を記録する記録面を設定する設定手段と、
前記表裏判別手段による判別結果に従い、前記設定手段により設定した前記記録面に前記第２の画像を記録するよう制御する制御手段を有することを特徴とする記録装置。
【請求項２】
前記記録媒体の片面に前記第２の画像を記録する第１の記録ヘッドと、
前記第１の記録ヘッドによって記録される面とは逆の面に前記第２の画像を記録する第２の記録ヘッドとを含む記録手段をさらに有することを特徴とする請求項１に記載の記録装置。
【請求項３】
少なくとも前記第２の画像を記録するために必要な記録データと指示とを外部装置より受信する受信手段をさらに有し、
前記指示には、前記第１の記録ヘッド及び前記第２の記録ヘッドのいずれかで記録するか、または両方の記録ヘッドで記録するかの指示が含まれており、
前記制御手段は、前記受信手段により受信した指示に従って、前記第１の記録ヘッド及び前記第２の記録ヘッドから前記第２の画像を記録するよう、前記記録手段を制御することを特徴とする請求項２に記載の記録装置。
【請求項４】
前記受信手段により受信した指示を記憶するメモリをさらに有することを特徴とする請求項３に記載の記録装置。
【請求項５】
前記記録媒体の片面に前記第２の画像を記録する記録ヘッドを含む記録手段と、
前記記録媒体の表裏を反転させる反転手段を有することを特徴とする請求項１に記載の記録装置。
【請求項６】
前記読取手段は、
前記記録媒体の片面の画像を読取る第１のセンサと、
前記第１のセンサによって読取られる面とは逆の面の画像を読取る第２のセンサをさらに有することを特徴とする請求項１乃至請求項４のいずれかに記載の記録装置。
【請求項７】
前記読取手段は、前記記録媒体の片面の画像を読取るセンサをさらに有することを特徴とする請求項５に記載の記録装置。
【請求項８】
前記記録媒体の１頁分に記録された画像の画素数を計数する計数手段と、
前記計数手段により計数された画素数と予め設定された基準値とを比較する比較手段をさらに有し、
前記表裏判別手段は、前記計数手段による計数結果に基づいて前記記録媒体の表裏を判別することを特徴とする請求項１乃至請求項７のいずれかに記載の記録装置。
【請求項９】
片面に第１の画像が記録されたシート状の記録媒体から前記第１の画像を読取る読取手段を有し、前記記録媒体にさらに第２の画像を付加的に記録することが可能な記録装置の記録制御方法であって、
前記記録媒体を装置内に供給する供給工程と、
前記供給工程により供給された記録媒体を記録位置まで搬送する搬送工程と、
前記搬送工程による記録媒体の搬送路において、前記記録位置よりも上流側で、前記記録媒体の表面と裏面とを判別する表裏判別工程と、
前記第２の画像を記録する記録面を設定する設定工程と、
前記表裏判別工程による判別結果に従い、前記設定工程により設定した前記記録面に前記第２の画像を記録する制御工程を有することを特徴とする記録制御方法。
【発明の詳細な説明】
【技術分野】
【０００１】
本発明は、原稿の表裏を判別して所望の面に記録を行う記録装置及びこれを用いた記録制御方法に関する。
【背景技術】
【０００２】
従来、原稿の画像を読取る画像読取装置には、原稿が読み込まれたことの確認や、その読取った原稿の内容を後で検索する目的で、原稿の端部や裏面のいずれかに記号や文字列等の記録を行う記録装置を設けられているものがあった。それらの中でも２つの記録ユニットが原稿を挟んで両側に配置され、原稿表裏面のいずれにも記録可能とすることで、利便性を向上する技術が開示されている（特許文献１参照）。また、原稿の表面と裏面を検出する技術も開示されている（特許文献２参照）。
【特許文献１】特開平５−１４５７１４号公報
【特許文献２】特開平８−８８７４１号公報
【発明の開示】
【発明が解決しようとする課題】
【０００３】
しかしながら、上記従来技術においては次のような問題があった。つまり、片面に画像が記録されたシート状の記録媒体（以下、「原稿」）の画像を読取る機能を備えた従来の記録装置（以下、「画像読取機能付記録装置」）は、使用者が予め記録面として意図した面に記録が行われるよう、原稿を給送トレイにセットする。しかし、原稿中にテキスト等の画像が形成されている面（以下「表面」）と白紙面（以下「裏面」）を誤って混在して給送トレイにセットしてしまった場合、使用者が意図した面と異なる面に画像を記録してしまうという課題があった。
【０００４】
この課題の具体的な説明を図１４を用いて行う。図１４はスキャナ給送部にセットした原稿である記録媒体の整列順と、該順で原稿読取り及び記録を行った場合の従来の画像読取機能付記録装置を用いた記録結果の例である。本例では、原稿は上部に配置されたものから順に給送され、上面が表面（下面に裏面）になるようにセットされている。図１４は、使用者が表面を記録するように意図して原稿をセットした場合であるが、画像読取機能付記録装置は全ての原稿の上面に記録してしまう。図１４では、使用者は誤って２枚目の記録前原稿１４０１を裏表逆（上面が裏面）にセットしている。このため、１枚目の記録済原稿１４０４、３枚目の記録済原稿１４０６と４枚目の記録済原稿１４０７は、イメージ画像１１０９が表面に記録されている。しかし、２枚目の原稿１４０５は、イメージ画像１１０９が裏面に記録されている。
【０００５】
本発明は、上述した点に鑑みなされたものである。具体的には、給送トレイにセットされた原稿の表裏にかかわらず、記録装置で使用者が意図した面（表面又は裏面）に画像を自動的に記録することを実現可能とした記録装置及びこれを用いた記録制御方法を提供することを目的とする。
【課題を解決するための手段】
【０００６】
上記目的を達成するための本発明は、片面に第１の画像が記録されたシート状の記録媒体から前記第１の画像を読取る読取手段を有し、前記記録媒体にさらに第２の画像を付加的に記録することが可能な記録装置であって、
前記記録媒体を装置内に供給する供給手段と、
前記供給手段により供給された記録媒体を記録位置まで搬送する搬送手段と、
前記搬送手段による記録媒体の搬送路において、前記記録位置よりも上流側に設けられ、前記記録媒体の表面と裏面とを判別する表裏判別手段と、
前記第２の画像を記録する記録面を設定する設定手段と、
前記表裏判別手段による判別結果に従い、前記設定手段により設定した前記記録面に前記第２の画像を記録するよう制御する制御手段を有することを特徴とする記録装置である。
【０００７】
また、上記目的を達成するための別の発明は、片面に第１の画像が記録されたシート状の記録媒体から前記第１の画像を読取る読取手段を有し、前記記録媒体にさらに第２の画像を付加的に記録することが可能な記録装置の記録制御方法であって、
前記記録媒体を装置内に供給する供給工程と、
前記供給工程により供給された記録媒体を記録位置まで搬送する搬送工程と、
前記搬送工程による記録媒体の搬送路において、前記記録位置よりも上流側で、前記記録媒体の表面と裏面とを判別する表裏判別工程と、
前記第２の画像を記録する記録面を設定する設定工程と、
前記表裏判別工程による判別結果に従い、前記設定工程により設定した前記記録面に前記第２の画像を記録する制御工程を有することを特徴とする記録制御方法である。
【発明の効果】
【０００８】
従って本発明によれば、給送トレイにセットされた原稿の表裏にかかわらずに、使用者が記録面として意図した設定面（表面又は裏面）に画像を記録することを実現可能とした画像読取機能付記録装置及びこれを用いた記録方法を提供することができる。
【発明を実施するための最良の形態】
【０００９】
なお、この明細書において、「記録」とは、文字、図形等有意の情報を形成する場合のみならず、有意無意を問わず、広く記録媒体上に画像、模様、パターン等を形成する、または媒体の加工を行う場合も表すものとする。また、人間が視覚で知覚し得るように顕在化したものであるか否かを問わない。
【００１０】
また、「記録媒体」とは、一般的な記録装置で用いられる紙のみならず、広く、布、プラスチック・フィルム、金属板、ガラス、セラミックス、木材、皮革等、インクを受容可能なものも表すものとする。この明細書では、「原稿」として、「片面に画像が記録されたシート状の記録媒体」を使用している。
【００１１】
以下、図面を参照して本発明の記録装置に係わる実施例について詳細に説明する。
（第１の実施例）
本実施例では、本発明の好ましい実施形態の画像読取機能付記録装置であり、原稿の画像を読取る画像読取装置であるドキュメントスキャナ（以下「スキャナ」）を接続した記録装置（以下「インプリンタ」）について説明する。
【００１２】
図１は本発明の画像読取機能付記録装置にホストコンピュータ（以下「ＰＣ」）を接続した構成図を示す。スキャナ１０５とＰＣ１００はインタフェースケーブル１０４で接続されており、スキャナ１０５は読取った原稿の画像データをインタフェースケーブル１０４を介してＰＣ１００に送信する。またスキャナ１０５は、インプリンタ１０６とプリンタケーブル１０７で接続されており、スキャナ１０５は後述する制御コマンドの送受信を行うことでインプリンタ１０６をコントロールする。さらに、スキャナ１０５は、プリンタケーブル１０７でインプリンタ１０６への電源供給も行う。
【００１３】
図２は本実施例で使用するＰＣのブロック図である。
【００１４】
ＰＣ１００は、入力手段であるキーボード１０２やマウス１０３とはキーボードインタフェース２０２とマウスインタフェース２０３を介して接続され、表示装置であるＣＲＴ１０１とはビデオコントローラ２０１を介して接続されている。またＰＣ１００は、ＭＰＵ２００がＨＤＤ（ハードディスク）２０６に記憶してあるアプリケーションソフトやドライバソフトをＲＡＭ２０５で実行することで、スキャナ１０５に後述する制御コマンドを外部インタフェース２０４を介して送信する。さらにスキャナ１０５から外部インタフェース２０４を介して受信した読取り原稿の画像データをハードディスク２０６に格納する。またインプリンタ１０６により原稿に記録する為のＲＡＭ２０５に格納された記録情報を後述する制御コマンドに変換し、外部インタフェース２０４を介してインタフェースケーブル１０４に出力する処理を実行する。
【００１５】
図４は本実施例で使用するＰＣ１００のＭＰＵ２００がハードディスク２０６に記憶してあるドライバソフトを実行することで、ＣＲＴ１０１上に表示される記録情報設定画面４０３の説明図である。使用者は本設定画面によりインプリンタ１０６が原稿に記録する記録情報を設定する。テキストとイメージから構成される記録情報は原稿両面に対し設定され、テキストはテキスト設定ボックス４００において任意の数字が設定可能であり、イメージはイメージ設定ボックス４０１により任意のイメージデータが設定可能である。さらに連番チェックボックス４０５により連番機能を有効にすることで、テキスト設定ボックス４００で設定された数字を初期値として１、２、３、というように数字をインクリメントしながらの記録を指定可能である。そして、本機能により原稿毎に連番を記録することが可能となる。また記録原稿面設定チェックボックス４０２により上記設定した記録情報を記録する原稿面（表面および裏面）が指定可能である。スタート指示ボタン４０４はスキャナ１０５に読取り動作の開始を指示する。
【００１６】
本実施例では、本設定画面のように設定することで、原稿表面に「００１」から始まる連番を記録し、原稿裏面にイメージ画像を記録することを実現する。
【００１７】
図３は本発明で使用するスキャナ１０５とインプリンタ１０６が接続されている状態の断面図である。スキャナ１０５は、読取原稿３００を積載する給送トレイ３０１と、給送トレイ３０１に積載した読取原稿３００をピックするピックアップローラ３０２を装備している。また、スキャナ１０５は、給送トレイ３０１の原稿の有無を検出する原稿有無センサ３０６と、給送された読取原稿３００を搬送する搬送ローラー３０３と、原稿の位置を検出する原稿位置検出センサ３０４を装備している。また、スキャナ１０５は、前記原稿位置検出センサ３０４で検出した原稿の位置を基に原稿の上面を読取る原稿上面読取イメージセンサ３０５と原稿の下面を読取る原稿下面読取イメージセンサ３０７を装備している。さらに、スキャナ１０５は、原稿の排出方向を決定するフラッパ３１２と、排紙した原稿を積載する排紙トレイ３１０を装備している。フラッパ３１２は、搬送経路を切り替える為に手動レバー（不図示）により、読取った原稿をインプリンタ１０６側にストレート排紙を行うか、インプリンタ１０６を経由せずに排紙トレイ３１０にＵターン排紙を行うかを切り替えて選択することが出来る。しかし、本実施例では、読取った原稿の両面にインプリンタ１０６において画像を記録する為、ストレート排紙を選択している。
【００１８】
なお、本発明では、画像を読取る手段であるスキャナ１０５により画像を画素単位で読取るが、例えば、１２００ｄｐｉ（ドット／インチ）×１２００ｄｐｉで画像を読取る場合、画素単位とは１／１２００インチ×１／１２００インチを示す。
【００１９】
インプリンタ１０６には、原稿の位置を検出する位置検出センサ３０９と、原稿の上面に記録を行う上面記録ヘッド３０８と原稿の下面に記録を行う下面記録ヘッド３１１が原稿搬送路を挟み互いの記録面が対向するよう配設してある。
【００２０】
なお、インプリンタ１０６はギア（不図示）を経由してスキャナ１０５から搬送駆動を供給される為、スキャナ１０５の搬送ローラー３０３が駆動されれば、インプリンタ１０６の搬送系も駆動する。原稿３１３はスキャナ１０５からストレート排紙され、インプリンタ１０６内に進入する。そして、原稿上面読取イメージセンサ３０５および原稿下面読取イメージセンサ３０７による読取り処理後に、位置検出センサ３０９により位置が管理され上面記録ヘッド３０８および下面記録ヘッド３１１による記録動作が行われる。
【００２１】
図６は本実施例で使用する制御コマンドの構造を示す図である。ＰＣ１００とスキャナ１０５間を、インタフェースケーブル１０４を介して送受信される制御コマンドと、スキャナ１０５とインプリンタ１０６間を、プリンタケーブル１０７を介して送受信される制御コマンドを示す。イメージデータコマンド６０１及びテキストデータコマンド６０２は、インプリンタ１０６で原稿に記録する記録情報であり、記録ヘッドＩＤパラメータ（「以下、記録ヘッドＩＤ」）６０８、６０９によりどちらの記録ヘッドで記録する記録情報かが指定される。具体的には記録ヘッドＩＤが”０”は下面記録ヘッド３１１を示し、”１”は上面記録ヘッド３０８を示す。これらの制御コマンドはＰＣ１００からスキャナ１０５を経由してインプリンタ１０６に送信される。記録開始コマンド６０３は、ＰＣ１００からスキャナ１０５へは記録データ送信の終了を通知する制御コマンドとして通知し、スキャナ１０５からインプリンタ１０６へは記録開始タイミングを通知する制御コマンドとして送信する。記録開始コマンド６０３の記録ヘッドＩＤ６１０は、ＰＣ１００からスキャナ１０５に送信される場合は、記録データが送信された記録ヘッドを指定する。具体的には、記録ヘッドＩＤが”０”は下面記録ヘッド３１１を示し、”１”は上面記録ヘッド３０８を指定する。またスキャナ１０５からインプリンタ１０６に送信される場合は、記録を開始する記録ヘッドを指定する。具体的には記録ヘッドＩＤが”０”は下面記録ヘッド３１１を示し、”１”は上面記録ヘッド３０８を、”２”は下面記録ヘッド３１１と上面記録ヘッド３０８の両面記録ヘッド示す。センサステータスコマンド６０４はインプリンタ１０６の位置検出センサ３０９の出力状態をステータスとして通知する制御コマンドであり、インプリンタ１０６からスキャナ１０５に定期的に送信する。原稿読取り開始コマンド６０５は原稿の読取り開始を通知するコマンドであり、ＰＣ１００からスキャナ１０５に送信される。原稿読取りデータコマンド６０６は、スキャナ１０５が読取った原稿１ページ分のイメージデータであり、スキャナ１０５からＰＣ１００に送信される。原稿読取りデータコマンド６０６のセンサＩＤパラメータ（以下、「センサＩＤ」）６１１は、上下２つのイメージセンサのうちどちらのイメージセンサで読取ったイメージデータであるかを通知する。なお、原稿上面のイメージデータを読取るイメージセンサは原稿上面読取イメージセンサ３０５、原稿下面のイメージデータを読取るイメージセンサは原稿下面読取イメージセンサ３０７である。読取り終了コマンド６０７は、スキャナ１０５が給送トレイ３０１に次の原稿が無いので読取り処理を終了することを示すコマンドであり、スキャナ１０５からＰＣ１００に送信される。
【００２２】
図７は本発明のスキャナとインプリンタのブロック図を示す。
【００２３】
インプリンタ１０６のコントローラ７０９は、ＲＯＭ７１４に格納された制御プログラムをＲＡＭ７１１を使用し実行することで以下の制御を実現する。
【００２４】
コントローラ７０９はスキャナ通信インタフェース７１０を制御してスキャナ１０５からイメージデータコマンド６０１、テキストデータコマンド６０２、記録開始コマンド６０３を受信する。さらに、位置検出センサ３０９を定期的に読取りそのステータス情報をセンサステータスコマンド６０４としてスキャナ１０５へ送信する。また、イメージデータコマンド６０１を受信すると記録データとして記録ヘッドＩＤ６０８に設定されている記録ヘッドＩＤに応じてＲＡＭ７１１に確保されたビットマップメモリにビットマップ展開する。また、テキストデータコマンド６０２を受信すると対応するテキストデータに対応するフォントデータをＲＯＭ７１４から読出す。そして、記録データとして記録ヘッドＩＤ６０９に設定されている記録ヘッドＩＤに応じてＲＡＭ７１１に確保されたビットマップメモリにビットマップ展開する。ここで、ビットマップメモリには、上面記録ヘッド用のビットマップメモリ７１５及び下面記録ヘッド用のビットマップメモリ７１６がある。上面記録ヘッド用のビットマップメモリ７１５は下面記録ヘッド３１１で記録する為の記録データが保存されている領域であり、本領域の記録情報を下面記録ヘッド３１１に転送することで記録を行う。また、下面記録ヘッド用のビットマップメモリ７１６は上面記録ヘッド３０８で記録する為の記録データが保存されている領域であり上面記録ヘッド３０８に本領域の記録情報を転送することで記録を行う。記録開始コマンド６０３を受信すると、記録ヘッドＩＤ６１０に設定されている記録ヘッドＩＤに応じて上面記録ヘッド３０８又は下面記録ヘッド３１１又はその両方の記録ヘッドを駆動する。そして、原稿の上面または下面またはその両方にインクを吐出して記録を行う。
【００２５】
スキャナ１０５のコントローラ７００は、ＲＯＭ７０１に格納された制御プログラムを、ＲＡＭ７０４を使用し実行することで以下の制御を実現する。
【００２６】
コントローラ７００はホスト通信インタフェース７０６を経由してＰＣ１００から受信したイメージデータコマンド６０１及びテキストデータコマンド６０２を、インプリンタ通信インタフェース７０７を制御してインプリンタ１０６に送信する。さらにインプリンタ通信インタフェース７０７を制御してインプリンタ１０６からセンサステータスコマンドを受信する。さらにコントローラ７００は給送モータ（不図示）とピックアップモータ（不図示）からなる原稿給送手段７０８を制御して給送トレイ３０１上の原稿３００を分離及び給送し、搬送モータ（不図示）からなる原稿搬送機構７０２を制御して原稿３００を搬送する。原稿位置検出センサ３０４は、原稿搬送機構７０２により搬送された原稿３００の位置を検出する。コントローラ７００は原稿位置検出センサ３０４により検出した原稿位置に基づき、原稿上面読取イメージセンサ３０５および原稿下面読取イメージセンサ３０７であるイメージセンサ７０５を制御する。そして原稿３００に形成されている画像を読取り、いずれの読取りセンサで読取ったデータかを判別できるようにセンサＩＤ６１１を付加しホスト通信インタフェース７０６を制御して読取った画像データをＰＣ１００へ送信する。
【００２７】
また、インプリンタ１０６から受信したセンサステータスコマンド６０４により原稿の先端を検出すると、原稿が記録位置に到達したと認識する。そして、記録開始コマンド６０３をインプリンタ通信インタフェース７０７を制御してインプリンタ１０６に送信し、インプリンタ１０６の記録開始を指示する。
【００２８】
図８は本実施例における原稿読取り機能付記録装置の記録処理を含む原稿読取り処理のフローチャートであり、スキャナ１０５のコントローラ７００は、ＲＯＭ７０１に格納された制御プログラムをＲＡＭ７０４を使用し実行することで以下の制御を実現する。
【００２９】
電源が投入され初期化処理が完了すると、原稿読取り開始コマンド６０５を受信するのを待つ（ステップＳ８００が「ＮＯ」）。原稿読取り開始コマンド６０５を受信する（ステップＳ８００が「ＹＥＳ」）と、ステップＳ８０１により搬送を開始し、ステップＳ８０２により給送トレイ３０１の原稿３００を１枚分離して給送する。さらに、原稿位置検出手段７０３により検出した原稿位置に基づき、原稿の先端がイメージセンサ３０５、３０７位置に移動するのを待ち、ステップＳ８０３の画像読取り処理により、原稿両面の画像の読取りを行う。そして、読取ったデータにいずれの読取りセンサで読取ったデータかを判別できるように読取り、センサＩＤ６１１を付加し原稿読取りデータコマンド６０６に変換してＰＣ１００に送信する。さらにステップＳ８０４の記録処理が終了すると、ステップＳ８０５により搬送中の原稿を排紙トレイ３１０まで排紙する。続いて原稿有無センサ３０６の出力により給送トレイ３０１の原稿の有無をチェックし、給送トレイ３０１に原稿が有る場合（ステップＳ８０６が「ＮＯ」）、ステップＳ８０２により給送トレイ３０１の原稿３００を１枚分離し、そして給送する。また、給送トレイに原稿が無い場合（ステップＳ８０６が「ＹＥＳ」）は、ステップＳ８０７により搬送を停止し、ステップＳ８０８により読取り終了コマンド６０７をＰＣ１００に送信する。
【００３０】
図９は本実施例におけるＰＣの画像データ解析処理を含む原稿読取り処理を示すフローチャートであり、ハードディスク２０６に格納されたドライバソフトにより、ＭＰＵ２００がＲＡＭ２０５を使用し実行することで以下の制御を実現する。
【００３１】
使用者がドライバソフトの記録情報設定画面４０３にて、テキスト設定ボックス４００やイメージ設定ボックス４０１により、原稿に記録するイメージやテキストを設定し、さらに連番チェックボックス４０５により連番機能の有効／無効が設定される。さらに記録原稿面設定チェックボックス４０２により原稿の記録面を設定し、続いてスタート指示ボタン４０４押下により読取り開始の指示を行うと、本処理が起動する。ステップＳ９００によりスキャナ１０５に原稿読取り開始コマンド６０５を送信すると、続いてステップＳ９０１によりスキャナ１０５から読取り終了コマンド６０７を受信したかチェックする。読取り終了コマンド６０７を受信していれば（ステップＳ９０１「ＹＥＳ」）、スキャナ１０５の給送トレイ３０１に次の原稿が無い為、本処理を終了する。また、読取り終了コマンドを受信していなければ（ステップＳ９０１が「ＮＯ」）、スキャナから原稿上面読取イメージセンサ３０５が読取ったイメージ画像データを受信したかステップＳ９０２によりチェックする。ここで、前記イメージ画像データとは、センサＩＤ６１１が原稿上面読取イメージセンサを示す原稿読取りデータコマンド６０６（以下、「原稿上面読取りデータコマンド」）を示す。原稿上面読取りデータコマンドを受信していれば（ステップＳ９０２「ＹＥＳ」）、原稿上面読取りデータコマンド６０６内の１頁分の読取り画像データ中の黒色の画素（以下、「黒画素」）の割合（画素数）と基準値を比較する。なお、この基準値は、予めＰＣ１００上で自由に設定できるものとする。黒画素の割合が基準値を超える場合（ステップＳ９０３が「ＹＥＳ」）は原稿表面が上面にセットされたと判断する。続いてステップＳ９０４により記録情報画面４０３の記録原稿面設定チェックボックス４０２の表面が選択されており、さらに原稿表面に対するイメージが設定されているかを確認する。これを満たす場合（ステップＳ９０４が「ＹＥＳ」）は、ステップＳ９０５により記録ヘッドＩＤ６０８を上面記録ヘッド”１”に設定したイメージデータコマンド６０１をスキャナ１０５に送信する。同様に、ステップＳ９０６により記録原稿面設定チェックボックス４０２の表面が選択されており、さらにテキストが設定されているかを確認する。これを満たす場合（ステップＳ９０６が「ＹＥＳ」）、ステップＳ９０７により記録ヘッドＩＤ６０９を上面記録ヘッド”１”に設定したテキストデータコマンド６０２をスキャナ１０５に送信する。さらに記録データがある場合（テキストデータ又はイメージデータ又はその両方を送信している場合）に該当するかをステップＳ９０８により確認する。さらに記録データがある場合（ステップＳ９０８が「ＹＥＳ」）、ステップＳ９０９により記録ヘッドＩＤ６１０を上面記録ヘッド”１”に設定した記録開始コマンド６０３を送信する。また、ステップＳ９１２により記録情報画面４０３により記録原稿面設定チェックボックス４０２の裏面が選択されており、さらに原稿裏面に対するイメージが設定されている場合に該当するかを確認する。これを満たす場合（ステップＳ９１２が「ＹＥＳ」）は、ステップＳ９１３により記録ヘッドＩＤ６０８を下面記録ヘッド”０”に設定したイメージデータコマンド６０１をスキャナ１０５に送信する。同様に記録原稿面設定チェックボックス４０２の裏面が選択されており、さらに原稿裏面にテキストが設定されている場合に該当するかを確認する。これを満たす場合（ステップＳ９１４が「ＹＥＳ」）、ステップＳ９１５により記録ヘッドＩＤ６０８を下面記録ヘッド”０”に設定したテキストデータコマンド６０２をスキャナ１０５に送信する。そして、ステップＳ９１６によりさらに記録データがある場合（テキストデータ又はイメージデータ又はその両方を送信している場合）に該当するかを確認する。さらに記録データがある場合は（ステップＳ９１６がＹＥＳ）、ステップＳ９１７により記録ヘッドＩＤ６１０を下面記録ヘッド”０”に設定した記録開始コマンド６０３を送信する。
【００３２】
他方、黒画素の割合が基準値を超えない場合（ステップＳ９０３が「ＮＯ」）は、原稿表面が下面にセットされたと判断する。続いて記録情報画面４０３により記録原稿面設定チェックボックス４０２の表面が選択されており、さらに原稿表面に対するイメージが設定されているかを確認する。これを満たす場合（ステップＳ９１８が「ＹＥＳ」）、ステップＳ９１９により記録ヘッドＩＤ６０８を下面記録ヘッド”０”に設定したイメージデータコマンド６０１をスキャナ１０５に送信する。同様に記録原稿面設定チェックボックス４０２の表面が選択されており、さらにテキストが設定されているかを確認する。これを満たす場合（ステップＳ９２０が「ＹＥＳ」）、ステップＳ９２１により記録ヘッドＩＤ６０９を下面記録ヘッド”０”に設定したテキストデータコマンド６０２をスキャナ１０５に送信する。さらに記録データがある場合（テキストデータ又はイメージデータ又はその両方を送信している場合）に該当するかステップＳ９２２により確認する。さらに記録データがある場合（ステップＳ９２２が「ＹＥＳ」）、ステップＳ９２３により記録ヘッドＩＤ６１０を下面記録ヘッド”０”に設定した記録開始コマンド６０３を送信する。また記録情報画面４０３により記録原稿面設定チェックボックス４０２の裏面が選択されており、さらに原稿裏面に対するイメージが設定されている課を確認する。これを満たす場合（ステップＳ９２４が「ＹＥＳ」）、ステップＳ９２５により記録ヘッドＩＤ６０８を上面記録ヘッド”１”に設定したイメージデータコマンド６０１をスキャナ１０５に送信する。同様に記録原稿面設定チェックボックス４０２の裏面が選択されており、さらに原稿裏面にテキストが設定されているかを確認する。これに該当する場合（ステップＳ９２６が「ＹＥＳ」）、ステップＳ９２７により記録ヘッドＩＤ６０８を上面記録ヘッド”１”に設定したテキストデータコマンド６０２をスキャナ１０５に送信する。さらに記録データがある場合（テキストデータ又はイメージデータ又はその両方を送信している場合）に該当するかをステップＳ９２８により確認する。さらに記録データがある場合（ステップＳ９２８が「ＹＥＳ」）、ステップＳ９２９により記録ヘッドＩＤ６１０を上面記録ヘッド”１”に設定した記録開始コマンド６０３を送信する。一連のデータ送信が終了すると、連番インクリメント処理９３０にて表裏面データで連番指定がある場合、所定のテキストデータのインクリメントを行う。
【００３３】
図５は本実施例におけるスキャナ１０５のインプリンタの制御処理を示すフローチャートであり、スキャナ１０５のコントローラ７００は、ＲＯＭ７０１に格納された制御プログラムをＲＡＭ７０４を使用し実行することで以下の制御を実現する。
【００３４】
画像読取り処理から本処理が起動されると、本処理はインプリンタ１０６から受信するセンサステータスコマンド６０４で位置検出センサ３０９のステータスを監視することでインプリンタ１０６に搬送される原稿の位置を検出する。まずステップＳ５０１によりスキャナ１０５はＰＣ１００からイメージデータコマンド６０１受信しているかどうかチェックする。イメージデータコマンド６０１を受信している場合（ステップＳ５０１が「ＹＥＳ」）、ステップＳ５０２によりインプリンタ１０６にＰＣ１００から受信したイメージデータコマンド６０１を送信する。続いてステップＳ５０３によりテキストデータコマンド６０２を受信しているかどうかチェックし、受信している場合（ステップＳ５０３が「ＹＥＳ」）は、同様にステップＳ５０４によりテキストデータコマンド６０２を送出する。続いてインプリンタ１０６の位置検出センサ３０９をチェックし、位置検出センサ３０９で原稿の先端を検知しているか確認する。原稿の先端を検知していれば（ステップＳ５０５が「ＹＥＳ」）、続いてステップＳ５０６により記録開始コマンド６０３を受信しているかチェックする。記録開始コマンドを受信していなければ（ステップＳ５０６が「ＮＯ」）、記録データは無いと判断し本記録処理を終了する。上面および下面の記録開始コマンド６０３を受信していれば（ステップＳ５０７が「ＹＥＳ」）、ステップＳ５０８により記録ヘッドＩＤ６１０を両面”２”にセットする。そしてステップＳ５１２により記録開始コマンド６０３をインプリンタ１０６に送信する。また上面の記録開始コマンド６０３のみを受信してれば（ステップＳ５０９が「ＹＥＳ」）、ステップＳ５１０により記録ヘッドＩＤ６１０を上面”１”にセットし、ステップＳ５１２により記録開始コマンド６０３をインプリンタ１０６に送信する。また下面の記録開始コマンド６０３のみを受信してれば（ステップＳ５０９が「ＮＯ」）、ステップＳ５１１により記録ヘッドＩＤ６１０を下面”０”にセットし、ステップＳ５１２により記録開始コマンド６０３をインプリンタ１０６に送信する。他方、位置検出センサ３０９で原稿の先端を検知していなければ（ステップＳ５０５が「ＮＯ」）本処理を継続する。
【００３５】
図１０は本実施例におけるインプリンタの制御コマンド受信処理のフローを示すフローチャートであり、インプリンタ１０６のコントローラ７０９は、ＲＯＭ７１４に格納された制御プログラムを、ＲＡＭ７１１を使用し実行することで以下の制御を実現する。
【００３６】
電源が投入され初期化処理が完了すると、本処理が起動される。スキャナ１０５から制御コマンドを受信（ステップＳ１０００が「ＹＥＳ」）するとコマンド解析を行い、コマンドに対応した処理を行う。受信した制御コマンドがイメージデータコマンド６０１の場合（ステップＳ１００１が「ＹＥＳ」）は、ステップＳ１００２により記録ヘッドＩＤ６０８から上面記録ヘッド用のイメージデータかチェックする。上面記録ヘッド用のイメージデータであれば、ステップＳ１００３により上面イメージデータ展開処理にてイメージデータを上面記録ヘッド用のビットマップメモリにビットマップ展開する。また、下面記録ヘッド用のイメージデータであれば、ステップＳ１００４により下面イメージデータ展開処理にてイメージデータを下面記録ヘッド用のビットマップメモリにビットマップ展開する。続いて受信した制御コマンドがテキストデータコマンド６０２の場合（ステップＳ１００５が「ＹＥＳ」）は、ステップＳ１００６により記録ヘッドＩＤ６０９から上面記録ヘッド用のテキストデータかチェックする。上面記録ヘッド用のテキストデータであれば、ステップＳ１００７により上面テキストデータ展開処理にて、ＲＯＭ７１４より対応するフォントデータを読出し、上面記録ヘッド用のビットマップメモリにビットマップ展開する。また、下面記録ヘッド用のテキストデータであれば、ステップＳ１００８により下面テキストデータ展開処理にてＲＯＭ７１４より対応するフォントデータを読出し、下面記録ヘッド用のビットマップメモリにビットマップ展開する。また、受信した制御コマンドが記録開始コマンド６０３の場合（ステップＳ１００９が「ＹＥＳ」）は、記録ヘッドＩＤ６１０に設定されている記録ヘッドＩＤに応じて記録を行う。具体的には、ステップＳ１０１０による上面記録ヘッド３０８のみでの記録、又はステップＳ１０１１による下面記録ヘッド３１１のみでの記録、又はステップＳ１０１２による両方の記録ヘッドでの記録を行う。
【００３７】
図１１は本実施例における記録例を説明する図である。本例では３枚目の原稿がその他の原稿と表裏逆に給送トレイ３０１に積載された原稿４枚に対して、原稿表面に連番１１１０を、原稿裏面にイメージ画像１１０９を記録した際の記録結果である。
【００３８】
１１０１〜１１０４は排紙トレイ３１０に排紙された記録済原稿を、原稿上面（給送トレイ３０１に積載された際の上面）から見た図であり、１１０５〜１１０８は原稿下面から見た図である。１枚目の原稿は、原稿上面に黒画素が多く存在するため、原稿上面を表面と判別し、原稿上面１１０１に連番１１１０、原稿下面１１０５にイメージ画像１１０９が記録される。同様に２枚目の原稿も、原稿上面１１０２に連番１１１０、原稿下面１１０６にもイメージ画像１１０９が記録される。しかし、３枚目の原稿は、原稿上面１１０３は黒画素が基準値より少なく表面と判断されない。このため、原稿下面が表面と判断され、原稿上面１１０３にイメージ画像１１０９、原稿下面１１０７に連番１１１０が記録される。４枚目の原稿は、原稿上面１１０４は黒画素が多く存在し表面と判断されるため、原稿上面１１０４に連番１１１０、原稿下面１１０８にイメージ画像１１０９が記録される。
【００３９】
このように本実施例では、ＰＣ１００においてスキャナ１０５が読取った原稿から画像が形成されている原稿面を判断し、前記画像が形成されている原稿面に応じてインプリンタにて記録画像を記録する面をコントロールする。これより、原稿の表裏面が整列されていない原稿に対しても、正しい面に記録画像を記録することが可能である。
【００４０】
また第１の実施例では、原稿の読取りイメージセンサを２つ使用して原稿の両面を読取り可能な構成とした。しかし、１つのイメージセンサを使用し、複写機等で一般的に採用されている原稿表裏反転機構により片面を読取った原稿を表裏反転させ再度逆の面を読取ることで両面を読取る構成としても良い。
【００４１】
また第１の実施例では、２個の記録ヘッドを使用して原稿の両面に記録可能な構成とした。しかし、１つの記録ヘッドを使用し、複写機等で一般的に採用されている原稿表裏反転機構により片面を記録する手段を第１の記録手段とし、原稿を表裏反転させ再度逆の面を記録することを第２の記録手段とすることで両面を記録する構成としても良い。
（第２の実施例）
本実施例で使用する原稿読取り機能付記録装置の構成は、第１の実施例と同様であるため、その説明は省略する。
【００４２】
図１２は本実施例におけるスキャナ１０５の画像読取処理を示すフローチャートである。ステップＳ１２０１により、給送トレイ３０１から搬送される原稿３０１が原稿読取イメージセンサ３０５、３０７に到達すると、原稿読取イメージセンサ３０５、３０７により画像読取り処理が行われる。続いてステップＳ１２０２により、画像読取り処理において原稿上面読取イメージセンサ３０５が読み込んだ画像データからの黒画素数と、基準値設定手段により設定した基準値を比較する。基準値より多い場合、原稿表面が上面にセットされたと判断し、ステップＳ１２０３により揮発性メモリであるＲＡＭ７０４に確保される記録ヘッドＩＤ変換フラグ（不図示）をＯＦＦにする。他方黒画素数が基準値より少ない場合、原稿表面が下面されたと判断し、ステップＳ１２０４により記録ヘッドＩＤ変換フラグ（不図示）をＯＮにする。続いてステップＳ１２０５により、画像読取り処理において読取った画像を原稿読取りデータコマンドに変換し、ホストコンピュータ１００に送信する。
【００４３】
図１５は本実施例におけるＰＣの記録画像処理を示すフローチャートであり、ハードディスク２０６に格納されたドライバによって、ＭＰＵ２００がＲＡＭ２０５を使用し実行することで以下の制御を実現する。
【００４４】
使用者が前述したドライバの記録情報設定画面４０３にて、テキスト設定ボックス４００やイメージ設定ボックス４０１により、原稿に記録するイメージやテキストを設定し、さらに連番チェックボックス４０５により連番機能の有効／無効が設定される。さらに記録原稿面設定チェックボックス４０２により原稿の記録面を設定し、続いてスタート指示ボタン４０４押下により読取り開始の指示を行うと、本処理が起動する。最初にステップＳ１５００によりスキャナ１０５に原稿読取り開始コマンド６０５を送信する。読取り終了コマンド６０７を受信していれば（ステップＳ１５０１「ＹＥＳ」）、スキャナ１０５の給送トレイ３０１に次の原稿が無い為、本処理を終了する。他方、読取り終了コマンドを受信していなければ（ステップＳ１５０１が「ＮＯ」）、スキャナから読取り終了コマンド６０７を受信するまで処理を継続する（ステップＳ１５０２が「ＮＯ」）。原稿両面の読取りデータコマンド６０５を受信すると（ステップＳ１５０２「ＹＥＳ」）、ステップＳ１５０３により記録情報画面４０３により原稿表面にイメージが設定されているかチェックする。原稿表面にイメージが設定されている場合（ステップＳ１５０３が「ＹＥＳ」）は、ステップＳ１５０４により記録ヘッドＩＤ６０８を下面記録ヘッド”０”に設定したイメージデータコマンド６０１をスキャナ１０５に送信する。同様に原稿表面にテキストが設定されている場合（ステップＳ１５０５が「ＹＥＳ」）、ステップＳ１５０６により記録ヘッドＩＤ６０９を下面記録ヘッド”０”に設定したテキストデータコマンド６０２をスキャナ１０５に送信する。さらに記録データがある場合（テキストデータ又はイメージデータ又はその両方を送信している場合）に該当するかをステップＳ１５０７により確認する。さらに記録データがある場合（ステップＳ１５０７が「ＹＥＳ」）、ステップＳ１５０８により記録ヘッドＩＤ６１０を下面記録ヘッド”０”に設定した記録開始コマンド６０３を送信する。さらにステップＳ１５０９により記録情報画面４０３により原稿裏面にイメージが設定されているかチェックする。原稿裏面にイメージが設定されている場合（ステップＳ１５０９が「ＹＥＳ」）は、ステップＳ１５１０により記録ヘッドＩＤ６０８を上面記録ヘッド”１”に設定したイメージデータコマンド６０１をスキャナ１０５に送信する。同様に原稿裏面にテキストが設定されている場合（ステップＳ１５１１が「ＹＥＳ」）、ステップＳ１５１２により記録ヘッドＩＤ６０９を上面記録ヘッド”１”に設定したテキストデータコマンド６０２をスキャナ１０５に送信する。さらに記録データがある場合（テキストデータ又はイメージデータ又はその両方を送信している場合）に該当するかをステップＳ１５１３により確認する。さらに記録データがある場合（ステップＳ１５１３がＹＥＳ）、ステップＳ１５１４により記録ヘッドＩＤ６１０を上面記録ヘッド”１”に設定した記録開始コマンド６０３を送信する。一連のデータ送信が終了すると、ステップＳ１５１５により連番インクリメント処理にて表裏面データで連番指定がある場合、所定のテキストデータのインクリメントを行う。
【００４５】
図１３は本実施例におけるスキャナ１０５の記録処理を示すフローチャートであり、スキャナ１０５のコントローラ７００は、ＲＯＭ７０１に格納された制御プログラムによりＲＡＭ７０４を使用し実行することで以下の制御を実現する。
【００４６】
画像読取り処理から本処理が起動されると、本処理はインプリンタ１０６から受信するセンサステータスコマンド６０４で位置検出センサ３０９のステータスを監視することでインプリンタ１０６に搬送される原稿の位置を検出する。まずステップＳ１３０１によりスキャナ１０５はＰＣ１００からイメージデータコマンド６０１を受信しているかどうかチェックする。イメージデータコマンド６０１を受信している場合（ステップＳ１３０１が「ＹＥＳ」）は、続いてステップＳ１３０２により記録ヘッドＩＤ変換フラグ（不図示）がＯＦＦであるかチェックする。記録ヘッドＩＤ変換フラグがＯＦＦであれば（ステップＳ１３０２が「ＹＥＳ」）、ステップＳ１３０３によりＰＣ１００から受信したイメージデータコマンド６０１をインプリンタ１０６にそのまま送信する。記録ヘッドＩＤ変換フラグがＯＮであれば（ステップＳ１３０２が「ＮＯ」）、ステップＳ１３０４によりＰＣ１００から受信したイメージデータコマンド６０１の記録ヘッドＩＤ６０８を変換し、インプリンタ１０６に送信する。記録ヘッドＩＤの変更は、具体的には、下面ヘッドを示す”０”であれば上面を示す”１”に、上面を示す”１”であれば下面を示す”０”に変換する。続いてステップＳ１３０５によりテキストデータコマンド６０１を受信しているかどうかチェックする。テキストデータコマンド６０１を受信している場合（ステップＳ１３０５が「ＹＥＳ」）は、ステップＳ１３０６により記録ヘッドＩＤ変換フラグ（不図示）がＯＦＦであるかチェックする。記録ヘッドＩＤ変換フラグがＯＦＦであれば（ステップＳ１３０６が「ＹＥＳ」）、ステップＳ１３０３によりＰＣ１００から受信したテキストデータコマンド６０１をインプリンタ１０６にそのまま送信する。記録ヘッドＩＤ変換フラグがＯＮであれば（ステップＳ１３０６が「ＮＯ」）、ステップＳ１３０８によりＰＣ１００から受信したテキストデータコマンド６０１の記録ヘッドＩＤを変換し、インプリンタ１０６に送信する。続いてステップＳ１３０９によりＰＣ１００から記録開始コマンド６０３を受信しているかどうかチェックする。記録開始コマンドを受信していなければ（ステップＳ１３０９が「ＮＯ」）、ステップＳ１３１０によりインプリンタ１０６の位置検出センサ３０９をチェックする。位置検出センサ３０９で原稿の先端を検知していれば（ステップＳ１３１０が「ＹＥＳ」）、記録データは無いと判断し本記録処理を終了する。位置検出センサ３０９で原稿の先端を検知していなければ（ステップＳ１３１０が「ＮＯ」）本処理を継続する。記録開始コマンド６０３を受信している場合（ステップＳ１３０９が「ＹＥＳ」）は、記録データが有ると判断し、ステップＳ１３１１によりインプリンタ１０６の位置検出センサ３０９で原稿の先端を検知するのを待つ。位置検出センサ３０９で原稿の先端を検知すると（ステップＳ１３１１が「ＹＥＳ」）、ステップＳ１３１５により原稿両面に対する記録開始コマンド６０３を受信しているかチェックする。両面の記録開始コマンド６０３を受信していれば（ステップＳ１３１２が「ＹＥＳ」）、ステップＳ１３１６により記録ヘッドＩＤ６１０を両面”２”に設定した記録開始コマンド６０３をインプリンタ１０６に送信する。上面または下面のどちらかの記録開始コマンドしか受信していなければ（ステップＳ１３１２が「ＮＯ」）、ステップＳ１３１３により記録ヘッドＩＤ変換フラグ（不図示）がＯＦＦであるかチェックする。記録ヘッドＩＤ変換フラグがＯＦＦであれば（ステップＳ１３１３が「ＹＥＳ」）、ステップＳ１３１３によりＰＣ１００から受信した記録開始コマンド６０３をインプリンタ１０６にそのまま送信する。ＯＮであれば（ステップＳ１３１３が「ＮＯ」）、ステップＳ１３１５によりＰＣ１００から受信した記録開始コマンド６０３の記録ヘッドＩＤ６１０を変換し、インプリンタ１０６に送信する。
【００４７】
このように本実施例では、スキャナ１０５においてスキャナ１０５が読取った原稿から画像が形成されている原稿面を判断する。そして、前記画像が形成されている原稿面に応じてインプリンタにて記録画像を記録する面をコントロールすることで、原稿の表裏面が整列されていない原稿に対しても、正しい面に記録画像を記録することが可能である。
【図面の簡単な説明】
【００４８】
【図１】第１の実施例及び第２の実施例で使用する画像読取機能付記録装置にＰＣを接続した構成図である。
【図２】第１の実施例及び第２の実施例で使用するＰＣのブロック図である。
【図３】第１の実施例及び第２の実施例で使用する画像読取機能付記録装置の構成図である。
【図４】第１の実施例及び第２の実施例で使用する記録情報設定画面の構成図である。
【図５】第１の実施例で使用するスキャナのインプリンタ制御処理のフローチャートである。
【図６】第１の実施例及び第２の実施例で使用する画像読取機能付記録装置の制御コマンドの説明図である。
【図７】第１の実施例及び第２の実施例で使用する画像読取機能付記録装置のブロック図である。
【図８】第１の実施例及び第２の実施例で使用する画像読取機能付記録装置の記録処理を含む原稿読取り処理のフローチャートである。
【図９】第１の実施例で使用するＰＣの原稿読取り処理を示すフローチャートである。
【図１０】第１の実施例及び第２の実施例で使用するインプリンタの制御コマンド受信処理のフローチャートである。
【図１１】第１の実施例における画像読取機能付記録装置による記録画像の説明図である。
【図１２】第２の実施例で使用するスキャナの画像読取り処理を示すフローチャートである。
【図１３】第２の実施例で使用するスキャナのインプリンタ制御処理のフローチャートである。
【図１４】従来の画像読取機能付記録装置による記録画像の説明図である。
【図１５】第２の実施例で使用するＰＣの原稿読取り処理を示すフローチャートである。
【符号の説明】
【００４９】
１００  ＰＣ
１０１  ＣＲＴ
１０２  キーボード
１０３  マウス
１０４  インタフェースケーブル
１０５  スキャナ
１０６  インプリンタ
１０７  プリンタケーブル
２００  ＭＰＵ
２０１  ビデオコントローラ
２０２  キーボードインタフェース
２０３  マウスインタフェース
２０４  外部インタフェース
２０５、７０４、７１１  ＲＡＭ
２０６  ＨＤＤ（ハードディスク）
３００  原稿
３０１  給送トレイ
３０２  ピックアップローラ
３０３  搬送ローラー
３０４  原稿位置検出センサ
３０５  原稿上面読取イメージセンサ
３０６  原稿有無センサ
３０７  原稿下面読取イメージセンサ
３０８  上面記録ヘッド
３０９  位置検出センサ
３１０  排紙トレイ
３１１  下面記録ヘッド
３１２  フラッパ
３１３  原稿
４００  テキスト設定ボックス
４０１  イメージ設定ボックス
４０２  記録原稿面設定チェックボックス
４０３  記録情報設定画面
４０４  スタート指示ボタン
４０５  連番チェックボックス
６０１  イメージデータコマンド
６０２  テキストデータコマンド
６０３  記録開始コマンド
６０４  センサステータスコマンド
６０５  原稿読取り開始コマンド
６０６  原稿読取りデータコマンド
６０７  読取終了コマンド
７００、７０９  コントローラ
７０１、７１４  ＲＯＭ
７０２  原稿搬送機構
７０５  イメージセンサ
７０６  ホスト通信インタフェース
７０７  インプリンタ通信インタフェース
７０８  原稿給送機構
７１０  スキャナ通信インタフェース
７１３  記録ヘッド
７１５  上面記録ヘッド用のビットマップメモリ
７１６  下面記録ヘッド用のビットマップメモリ
１１０１  １枚目の原稿表面
１１０２  ２枚目の原稿表面
１１０３  ３枚目の原稿裏面
１１０４  ４枚目の原稿表面
１１０５  １枚目の原稿裏面
１１０６  ２枚目の原稿裏面
１１０７  ３枚目の原稿表面
１１０８  ４枚目の原稿裏面
１１０９  イメージ画像
１１１０  連番
１４００  １枚目の記録前原稿
１４０１  ２枚目の記録前原稿
１４０２  ３枚目の記録前原稿
１４０３  ４枚目の記録前原稿
１４０４  １枚目の記録済原稿
１４０５  ２枚目の記録済原稿
１４０６  ３枚目の記録済原稿
１４０７  ４枚目の記録済原稿
【図１】
2008035121.tif 000003
【図２】
2008035121.tif 000004
【図３】
2008035121.tif 000005
【図４】
2008035121.tif 000006
【図５】
2008035121.tif 000007
【図６】
2008035121.tif 000008
【図７】
2008035121.tif 000009
【図８】
2008035121.tif 000010
【図９】
2008035121.tif 000011
【図１０】
2008035121.tif 000012
【図１１】
2008035121.tif 000013
【図１２】
2008035121.tif 000014
【図１３】
2008035121.tif 000015
【図１４】
2008035121.tif 000016
【図１５】
2008035121.tif 000017